(57)【要約】【課題】本発明の課題は、安定した把持感触を得られ、経時による貫通孔とグリップ部材の隙間の発生を防止したグリップ部材を装着した筆記具の軸筒を提供することである。【解決手段】本発明は、軸筒本体の把持部に、軟質材からなるグリップ部材を装着してなる筆記具の軸筒において、前記把持部に、軸心方向に沿って延びる貫通孔を、周方向に適宜間隔を空けて複数個形成し、前記グリップ部材を、前記貫通孔を覆うように装着するとともに、前記貫通孔の軸心方向の両端部に、前記貫通孔の中央部よりも周方向の幅が大きい膨出部を有することを特徴とする。【選択図】          図２
2009202452.tif 000002
【特許請求の範囲】
【請求項１】
軸筒本体の把持部に、軟質材からなるグリップ部材を装着してなる筆記具の軸筒において、前記把持部に貫通孔を形成し、前記グリップ部材の貫通孔に対向する位置に内方に突出する凸部を形成し、前記グリップ部材の凸部が前記貫通孔を塞ぐように装着するとともに、前記貫通孔の軸心方向の両端部に、前記貫通孔の中央部よりも周方向の幅が大きい膨出部を有することを特徴とする筆記具の軸筒。
【請求項２】
前記貫通孔の壁面が、貫通孔の開口面積が、把持部の内壁側から外方に向かって徐々に拡大する傾斜状に形成したことを特徴とする請求項１に記載の筆記具の軸筒。
【請求項３】
前記貫通孔が、連続曲線からなることを特徴とする請求項１または２に記載の筆記具の軸筒。
【発明の詳細な説明】
【技術分野】
【０００１】
本発明は、軸筒本体の把持部に、軟質材からなるグリップ部材を装着してなる筆記具の軸筒に関する。
【背景技術】
【０００２】
従来から、軸筒本体の把持部に、軟質材からなるグリップ部材を装着してなる筆記具の軸筒構造はよく知られている。
【０００３】
こうした筆記具の軸筒において、把持感触の向上や長時間の筆記の疲れを抑制するため、軸筒本体の把持部にグリップ部材を装着してなる筆記具の軸筒もよく知られている。
【０００４】
また、軟らかいフィット感を出す機能の向上を得るために、特開平１１−１３９０７０号「筆記具の軸」では、軸筒本体の把持部に、内部への貫通穴を形成し、この貫通孔を塞ぐようにグリップ部材を装着することで、貫通穴内部への変形を可能とした筆記具の軸筒が開示されている。
【特許文献１】特開平１１−１３９０７０号公報
【発明の開示】
【発明が解決しようとする課題】
【０００５】
しかし、特許文献１は、内部への貫通穴を形成し、この貫通孔を塞ぐようにグリップ部材を装着するだけなので、構造上の制約は少ないように見えるが、貫通穴内部への変形は、グリップ部材の肉厚に比例して多くなるため、軟らかい把持感触を得るには、グリップ部材の肉厚量を厚くする必要があった。
【０００６】
軟らかい把持感触を得るための他の方法として、貫通孔を大きくすることも考えられるが、繰り返しの把持することによるグリップ部材の貫通穴内部への変形によって、貫通孔とグリップ部材との間に微小な隙間が発生することがある。この隙間は、貫通孔が大きく、且つ軸心方向に沿って長い程、グリップ部材の圧縮量も多くなり、隙間量が多くなる傾向である。
【０００７】
こうした微小な隙間は、筆記時における把持した時の筆圧によって、チップ先端部方向に力が加わった時に、グリップ部材が、チップ先端部側に移動してしまうため、安定した把持感触が得られなくなるだけでなく、貫通孔のチップ先端側と反対方向に隙間が集中する。グリップ部材と貫通孔の隙間量が大きくなると、把持力によってグリップ部材が貫通孔から離間しやすくなるため、グリップ部材が脱落する恐れがあった。
【０００８】
こうした問題を鑑みて、二色成形によりグリップ部材と軸筒を融着することも考えられるが、繰り返しの把持することによるグリップ部材の変形によって、貫通孔において融着していたグリップ部材が剥離してしまう。一旦、貫通孔からグリップ部材が剥離してしまうと、前述したような隙間が発生してしまう問題があった。
【０００９】
本発明の目的は、安定した把持感触を得られ、経時による貫通孔とグリップ部材の隙間の発生を防止したグリップ部材を装着した筆記具の軸筒を提供することである。
【課題を解決するための手段】
【００１０】
本発明は、軸筒本体の把持部に、軟質材からなるグリップ部材を装着してなる筆記具の軸筒において、前記把持部に、軸心方向に沿って延びる貫通孔を、周方向に適宜間隔を空けて複数個形成し、前記グリップ部材を、前記貫通孔を覆うように装着するとともに、前記貫通孔の軸心方向の両端部に、前記貫通孔の中央部よりも周方向の幅が大きい膨出部を有することを特徴とする。
【００１１】
また、前記貫通孔の壁面が、貫通孔の開口面積が、把持部の内壁側から外方に向かって徐々に拡大する傾斜状に形成したことを特徴とする。
【００１２】
さらにまた、前記貫通孔の外形形状が、連続曲線からなることを特徴とする。
【発明の効果】
【００１３】
本発明は、前述した構成なので、安定した把持感触を得られ、経時による貫通孔とグリップ部材の隙間の発生を防止したグリップ部材を装着した筆記具の軸筒を提供することができた。
【発明を実施するための最良の形態】
【００１４】
次に図面を参照しながら、本発明の筆記具の軸筒の実施例を説明するが、本発明は以下の実施例に限定されるものではない。
【００１５】
実施例１
図１から図５に示す、筆記具の軸筒１は、前軸２と後軸３を螺着して軸筒本体を構成し、後軸３内に配設した摺動体８の隆起部及び摺動体６に連接したクリップ７を外部に露出して配設してある。各摺動体には、インキ色の異なるボールペン体９を３本及びシャープペンシル体１０をコイルスプリング１３により後方に付勢させて摺動可能に連接してある、従来から知られている出没機構のスライド式の複合筆記具の軸筒であり、後軸３の後端部には、消しゴム１１及び消しゴムキャップ１２を配設してある。
【００１６】
前軸２の把持部には、中央部に周方向の幅Ｋが小さい小形部５ｂと、両端部に、略円形の周方向の幅Ｊが大きい棒出部５ａを有する、外形形状が連続曲線からなる貫通孔５を、適宜間隔を空けて、周方向の異なる３箇所（６０度毎）に形成してあり、この貫通孔５を覆うようにグリップ部材４を装着してある。グリップ部材４は、貫通孔５に対向する位置に内方に突出する凸部４ａを形成し、グリップ部材４の凸部４ａが貫通孔５を塞ぐように、前軸２の貫通孔５に、オレフィン系の熱可塑性エラストマー（硬度、Ｈｓ５０）を二色成形により融着してある。
【００１７】
貫通孔５の壁面５ｃは、貫通孔５の開口面積が、把持部の内壁面２ｂ側から外方に向かって徐々に拡大する傾斜状（角度α、β）に形成してある。貫通孔５の壁面５ｃを傾斜状にすることによって、貫通孔５の壁面５ｃと、グリップ部材４の凸部４ａとの接触面積が向上するために、貫通孔５とグリップ部材４との融着力を高めることができる効果を奏する。さらに、貫通孔５においてグリップ部材４が繰り返し前軸２内部へ変形しても、軸心方向への把持力に対し、傾斜した壁面５ｃで受けるため、把持力が分散されて軽減するので、グリップ部材４の凸部４ａが貫通孔の壁面５ｃからの剥離を抑制することができる。
【００１８】
また、軸心方向での両端部に、中央部５ｂに対し、周方向の幅が大きい膨出部５ａを有する貫通孔５を形成することで、筆記時等、グリップ部材４を把持した時に生じる、チップ先端部９ａ方向への力やスライド操作時等、チップ先端部９ａ方向と反対方向に力が加わっても、膨出部５ａと小形部５ｂとの段差によってグリップ部材４が、チップ先端部９ａ側やその反対側に移動することを抑制するため、貫通孔５とグリップ部材４の隙間の発生を抑制するとともに、長方形、円形や長円形等の貫通孔に比べ安定した把持感触が得られるとともに、貫通孔５とグリップ部材４の剥離を抑制することができる。
【００１９】
また、図６に示すように、貫通孔５の壁面５ｃは、把持部の肉厚変化等、貫通孔５の深さの相違に対応して傾斜角（角度α、β）を異ならせ、貫通孔５を正面から見たとき、貫通孔５の壁面５ｃの幅Ｆ、Ｇを略均一にすることが最も好ましい。
【００２０】
尚、貫通孔５の大きさは、特に限定されるものではないが、貫通孔が大きい程、貫通孔内への変形量も多く、把持感触が向上するので好ましいが、単に貫通孔を大きくすると、前記した移動抑制がし難くなるので、膨出部のみを大きくすることが好ましい。さらに小形部５ｂの幅Ｋと、膨出部５ａの幅Ｊとの差を大きくすることが好ましく、具体的には、小形部５ｂの幅Ｋに対し、膨出部５ａの幅Ｊを２倍以上することが望ましい。
【００２１】
本実施例では便宜上、貫通孔を周方向の異なる３箇所に形成してあるが、貫通孔５の数は、特に限定されるものではない。但し、筆記時に、親指、人差し指、中指の３本が当接することを考慮して、貫通孔５を周方向で３箇所以上形成することが最も好ましい。また、把持した時の軸心方向における指の位置は、使用者によって異なるため、具体的には、グリップ部材の全長の１／２以上の長さを有する貫通孔とすることが好ましい。
【００２２】
貫通孔５の形状も特に限定されるものではなく、両端に形成した膨出部の形状が異なっていてもよいが、貫通孔５を連続曲線で形成することによって、成形時の樹脂の流れが良好となるため、ヒケ等の成形不良の発生を抑制するとともに、外周距離を長くすることができるため、貫通孔５とグリップ部材４との接触面積が向上でき、二色成形においてグリップ部材４を融着する場合には最も好適である。
【００２３】
更にまた、貫通孔５の外形形状を連続曲線で形成してあるため把持した時の感触も良好となるとともに、把持力によって加わる応力が分散されるために、グリップ部材４の剥離を効果的に抑制する効果も奏する。
【００２４】
また、本実施例では便宜上、前軸２の先端部に口先部を一体に形成してあるが、前軸２の先端部に口先部材を螺着した構造であってもよい。また、前軸２と後軸３を着脱自在に連結して軸筒を得ているが、前軸２と後軸３を一体に形成してあってもよい。更にまた、グリップ部材４を２色成形によって、前軸２と一体に形成することが製造上、最も好ましいが、前軸２を形成後、グリップ部材４を着脱自在に装着する構造であってもよい。
【００２５】
尚、本発明のグリップ部材には、弾性変形可能なシリコーンゴム、天然ゴム、ブチルゴム、フッ素ゴム、ブタジエンゴム、ウレタンゴム、その他合成ゴム、熱可塑性エラストマー等、一般的に知られている弾性体のなかから適宜選定すればよいが、組立性やグリップ部材と軸筒との離間を防止することを考慮して、実施例に例示したように、軸筒と二色成形により一体に、且つ融着することが最も好ましい。尚、透明又は半透明のグリップ部材とすることで、軸筒内のボールペンレフィルのインキ色やインキ残量を外部から視認することができるため好ましい。
【産業上の利用可能性】
【００２６】
本発明の筆記具の軸筒は、インキやペン先の種類、出没機構に限定されるものではないので、複合筆記具、ノック式筆記具、キャップ式筆記具の軸筒として広く利用可能である。
【図面の簡単な説明】
【００２７】
【図１】実施例１の筆記具の軸筒を用いたスライド式の多芯筆記具を示す、縦断面図である。
【図２】図１における筆記具の軸筒の拡大縦断面図である。
【図３】図２におけるＡ−Ａ断面図である。
【図４】図２におけるＢ−Ｂ断面図である。
【図５】図１におけるクリップ方向から見た外観図である。
【図６】図５における１８０度方向から見た、一部省略した要部外観図である。
【符号の説明】
【００２８】
１  筆記具の軸筒
２  前軸
３  後軸
４  口先部材
５  グリップ部材
５  貫通孔
５ａ  棒出部
５ｃ  壁面
６  スライド部材
７  クリップ
８  ボールペン体
９  シャープペンシル体
１２  コイルスプリング
Ｆ、Ｇ  正面から見た時の貫通孔の壁面の幅
α、β  貫通孔の壁面の角度
【図１】
2009202452.tif 000003
【図２】
2009202452.tif 000004
【図３】
2009202452.tif 000005
【図４】
2009202452.tif 000006
【図５】
2009202452.tif 000007
【図６】
2009202452.tif 000008